(57)【要約】  カットトゥメジャー表示デバイス１００が、複数のピクセルグループ２００〜２２３を有する。各ピクセルグループは、複数の個別的に制御可能なピクセルと、上記ピクセルグループ２００〜２２３における上記ピクセルのそれぞれを制御するよう構成されるピクセルグループコントローラ２３０とを含む。このカットトゥメジャー表示デバイス１００は、所定の画像データに対応する画像を表示するよう、上記ピクセルグループコントローラ２３０を介して、上記ピクセルを制御するよう構成される表示コントローラ２３５と、上記ピクセルグループコントローラ２３０の各々を上記表示コントローラ２３５と相互接続する複数のバスライン３０１、３０４を有する通信バス２３６とを更に有する。ピクセルグループコントローラ２３０の各々は、このコントローラに関連付けられるピクセルグループ２００〜２２３における機能的ピクセルの位置を決定し、上記機能的ピクセルを用いて上記画像の表示に関する上記画像データの調整を可能にするため、上記機能的ピクセルの位置を示す情報を上記表示コントローラ２３５に通信するよう構成される。
2010522895.tif 000002
【特許請求の範囲】
【請求項１】
カットトゥメジャー表示デバイスであって、
複数のピクセルグループであって、各グループが、複数の個別的に制御可能なピクセルと、前記ピクセルグループにおける前記ピクセルのそれぞれを制御するよう構成されるピクセルグループコントローラとを含む、複数のピクセルグループと、
所定の画像データに対応する画像を表示するよう、前記ピクセルグループコントローラを介して、前記ピクセルを制御するよう構成される表示コントローラと、
前記ピクセルグループコントローラの各々を前記表示コントローラと相互接続する複数のバスラインを有する通信バスとを有し、
前記ピクセルグループコントローラがそれぞれ、
前記コントローラに関連付けられるピクセルグループにおける機能的ピクセルの位置を決定し、
前記機能的ピクセルを用いて前記画像の表示に関する前記画像データの調整を可能にするため、前記機能的ピクセルの位置を示す情報を前記表示コントローラに通信するよう構成される、カットトゥメジャー表示デバイス。
【請求項２】
前記バスラインがそれぞれ、前記表示コントローラと前記ピクセルグループコントローラとの間の堅牢な相互接続を可能にするため、前記表示デバイスにわたり分散される相互に接続される導体のセットにより形成される、請求項１に記載のカットトゥメジャー表示デバイス。
【請求項３】
前記通信バスが、クロック線とデータ線とを持つシリアルバスである、請求項１又は２に記載のカットトゥメジャー表示デバイス。
【請求項４】
各ピクセルグループコントローラが、所定のバスアドレスを持つ、請求項１乃至３のいずれか一項に記載のカットトゥメジャー表示デバイス。
【請求項５】
各ピクセルが、少なくとも１つの発光デバイスを有する、請求項１乃至４のいずれか一項に記載のカットトゥメジャー表示デバイス。
【請求項６】
各ピクセルが、
第１の行選択線並びに第１及び第２の列選択線のそれぞれによりアドレス指定可能な第１のサブピクセルと、
第２の行選択線並びに第１及び第２の列選択線のそれぞれによりアドレス指定可能な第２のサブピクセルとを有する、請求項１乃至５のいずれか一項に記載のカットトゥメジャー表示デバイス。
【請求項７】
前記サブピクセルがそれぞれ、発光デバイスを有し、
前記ピクセルは、前記第１及び第２の行選択線を接続する抵抗器を更に有する、請求項６に記載のカットトゥメジャー表示デバイス。
【請求項８】
前記ピクセルグループコントローラが、前記第１及び第２の行選択線に対して交互に制御電圧を印加するよう構成され、前記ピクセルに含まれる前記第１及び第２のサブピクセルが交互に選択される、請求項６又は７に記載のカットトゥメジャー表示デバイス。
【請求項９】
前記ピクセルグループコントローラが、複数のピクセルドライバを有し、各ピクセルドライバは、前記ピクセルグループに含まれるピクセルのサブセットを駆動するよう構成される、請求項１乃至８のいずれか一項に記載のカットトゥメジャー表示デバイス。
【請求項１０】
前記表示デバイスが、織り合わせられた電気導電性及び非導電性糸から形成される繊維を有し、
電気的接触が両者間で実現されるよう、前記バスラインの各々が、互いに交差する導電性縦糸及び横糸のマトリクスにより形成され、
前記縦糸及び横糸が互いに電気的に絶縁されるよう、前記行及び列選択線がそれぞれ、互いに交差する導電性縦糸及び横糸により形成される、請求項１乃至９のいずれか一項に記載のカットトゥメジャー表示デバイス。
【請求項１１】
カットトゥメジャー表示デバイスを制御する方法において、
前記カットトゥメジャー表示デバイスが、
複数のピクセルグループであって、各グループが、複数の個別的に制御可能なピクセルと、前記ピクセルグループにおける前記ピクセルのそれぞれを制御するよう構成されるピクセルグループコントローラとを含む、複数のピクセルグループと、
所定の画像データに対応する画像を表示するよう、前記ピクセルグループコントローラを介して、前記ピクセルを制御するよう構成される表示コントローラと、
前記ピクセルグループコントローラの各々を前記表示コントローラと相互接続する複数のバスラインを有する通信バスとを持ち、
前記方法が、
各ピクセルグループに対して、関連付けられるピクセルグループコントローラがアドレス指定可能かどうかを決定するステップと、
前記アドレス指定可能なピクセルグループコントローラの各々に対して、関連付けられるピクセルグループにおける機能的ピクセルを示す情報を取得するステップと、
前記情報に基づき前記画像データを調整するステップと、
前記画像を表示するため、前記アドレス指定可能なピクセルグループコントローラを介して、前記機能的ピクセルを制御するステップとを有する、方法。
【請求項１２】
請求項１乃至１０のいずれか一項に記載のカットトゥメジャー表示デバイスに含まれる表示コントローラで実行されるとき、請求項１１に記載のステップを実行するよう構成されるコンピュータプログラム。
【発明の詳細な説明】
【技術分野】
【０００１】
本発明は、カットトゥメジャー(cut-to-measure:好きな大きさに切れる)表示デバイス、及び斯かる表示デバイスを制御する方法に関する。
【背景技術】
【０００２】
多くの増大する用途において、カスタマイズされたディスプレイに関する需要が増加している。特に、広範囲にわたる異なる表示サイズが要求される。
【０００３】
この要求を満たす１つの手法は、いわゆるカットトゥメジャー表示デバイスを提供することである。この表示デバイスは、文字通り、必要とされるサイズへと適合されることができる。斯かる表示デバイスは、任意の剛性又は柔軟な基板に基づかれることができる。１つの特に興味深い分野は、繊維ベースの表示デバイスである。斯かる表示デバイスは通常、織り合わされた電気導電及び非導電性糸に基づかれる。
【０００４】
米国特許出願公開第２００６／００３５５５４号は、各ピクセルが電子データ処理のためのマイクロ電子要素を持つカットトゥメジャー表示デバイスを開示する。これらのマイクロ電子要素は、自己組織化を可能にするため電子メッセージを互いに交換し、これにより「カットトゥメジャー」を介して得られる特定のサイズへと表示デバイスを適合させる。
【発明の概要】
【発明が解決しようとする課題】
【０００５】
米国特許出願公開第２００６／００３５５５４号に開示される表示デバイスの欠点は、処理及びデータ通信が可能な多数のマイクロ電子デバイスが必要とされる点にある。このことは、特に大面積ディスプレイにとって、表示デバイスのコストに悪い影響を及ぼす。
【０００６】
従来技術における上述の及び他の欠点に鑑み、本発明の一般的な目的は、改善されたカットトゥメジャー表示デバイスを提供することである。特に低コストの表示デバイスを可能にすることである。
【課題を解決するための手段】
【０００７】
第１の本発明の側面によれば、これら及び他の目的は、以下のカットトゥメジャー表示デバイスにより実現される。このカットトゥメジャー表示デバイスは、複数のピクセルグループであって、それぞれが、複数の個別的に制御可能なピクセルと、上記ピクセルグループにおける上記ピクセルのそれぞれを制御するよう構成されるピクセルグループコントローラとを含む、複数のピクセルグループと、所定の画像データに対応する画像を表示するよう、上記ピクセルグループコントローラを介して、上記ピクセルを制御するよう構成される表示コントローラと、上記ピクセルグループコントローラの各々を上記表示コントローラと相互接続する複数のバスラインを有する通信バスとを有する。各ピクセルグループコントローラは、その関連付けられるピクセルグループにおける機能的ピクセルの位置を決定し、上記機能的ピクセルを用いて上記画像の表示に関する上記画像データの調整を可能にするため、上記機能的ピクセルの位置を示す情報を上記表示コントローラに通信するよう構成される。
【０００８】
このカットトゥメジャー表示デバイスは、剛性又は柔軟な基板に基づかれることができる。特に有利な実施形態では、基板は布である。
【０００９】
それぞれが通信バスを介して表示コントローラと相互接続される関連するピクセルグループコントローラを持つようなピクセルグループに、表示デバイスにおけるピクセルをグループ化することにより、表示コントローラは、表示デバイスが所望の形状にカットされた後、どのピクセルグループコントローラがなおアドレス指定可能かを決定することができる。これは、部分的なカットトゥメジャー機能を与える。なぜなら、表示コントローラは、なおアドレス指定可能なピクセルグループコントローラに対して画像データを適合させることを可能にされるからである。
【００１０】
カットトゥメジャー機能を更に改善するために、本発明による表示デバイスにおけるピクセルグループコントローラはそれぞれ、その関連付けられるピクセルグループにおける機能的ピクセルの位置を決定し、及び表示コントローラに対してこれらの位置を通信するよう、更に構成される。これによって、表示コントローラは、カットされた表示デバイスにおけるどのピクセルが機能的かについて正確にアクセスすることができる。カット後の形状及びサイズに関係なく所望の画像が実際的に表示デバイスにより表示されることができるよう、その後、画像データはこれらのピクセルに適合されることができる。
【００１１】
機能的ピクセルの位置は、例えば、各ピクセルを連続的にアドレス指定し、そのピクセルの少なくとも１つの電気的特性を評価することによりピクセルが機能的かどうかを決定することにより決定されることができる。斯かる電気特性は、例えば、インピーダンス、閾値電圧、時定数等を含むことができる。
【００１２】
本発明は、基板が、最初にカットトゥメジャーされ、その後、基板上に電子部品が取り付けられるような代替的な場合に対しても同様に適用できる。また、この場合、本発明によるピクセルグループコントローラを構成することで、機能的であると決定されたピクセルを用いて、画像の表示のため画像データが調整されることを可能にする。
【００１３】
従って、カットトゥメジャー形状及びサイズに対する非常に大きい程度の許容範囲及び適合性が、すべてのピクセルにマイクロプロセッサを備えることに頼ることなく実現される。これにより、従来技術と比較して改良されたコスト効率が実現される。
【００１４】
更に、各ピクセルが処理及び通信機能を持つ超小形電子回路をもはや収容する必要がないので、ピクセルはより小さくされることができる。従って、本発明は、より高い分解能を持つカットトゥメジャーディスプレイを可能にする。
【００１５】
更に、バスラインの各々は、有利なことに、表示コントローラとピクセルグループコントローラとの間の堅牢な相互接続を可能にするため、表示デバイスにわたり分散される相互に接続される導体のセットにより形成されることができる。
【００１６】
相互に接続される導体のセットは、例えば、導電性メッシュの形で与えられることができ、各バスラインに関連付けられる個別の導体セットは、明らかに、互いに電気的に切り離される。これは好ましくは、表示デバイスが基づかれる基板の異なる層において導体セットを形成することにより実現されることができる。
【００１７】
相互に接続される導体のセットとして各バスラインを形成することにより、表示コントローラと各ピクセルグループコントローラとの間の多数の接続経路が与えられる。これによって、通信バスは、表示デバイスにおけるカットに対して非常に堅牢になる。言い換えると、特定のピクセルグループコントローラにつながる接続経路の多くが破壊される場合であっても、ピクセルグループコントローラがなおアドレス指定可能であるよう、いくつかの接続経路が残ることになる高い確率が存在する。
【００１８】
バスラインは、有利には、クロック線及びデータ線を持つシリアルバスとすることができる。
【００１９】
更に、各ピクセルグループコントローラは、バス上に所定のアドレスを持つことができる。
【００２０】
更に、本発明によるカットトゥメジャー表示デバイスにおける各ピクセルは、少なくとも１つの発光デバイスを含むことができる。
【００２１】
ある実施形態によれば、本発明のカットトゥメジャー表示デバイスに含まれる各ピクセルは、第１の行選択線並びに第１及び第２の列選択線のそれぞれによりアドレス指定可能な第１のサブピクセルと、第２の行選択線並びに第１及び第２の列選択線のそれぞれによりアドレス指定可能な第２のサブピクセルとを有することができる。
【００２２】
これによって、各ピクセルグループはカットに対してより堅牢になる。なぜなら、サブピクセルのうちの１つが機能することを停止する又は非接続状態にされる場合、及び／又は行選択線のうちの１つがカットされる場合、及び／又は列選択線のうちの１つがカットされる場合であっても、斯かるピクセルはなお機能することになるからである。
【００２３】
このピクセルに含まれる各サブピクセルは、例えば発光ダイオードといった発光デバイスを更に含むことができ、ピクセルは、第１及び第２の行選択線を接続する抵抗器を有することができる。
【００２４】
これはピクセルを障害に対してさらに堅牢にする。なぜなら、ピクセルにおける光源のうちの１つが機能することを停止する場合、及び他の光源に関連付けられる行選択線がカットされる場合であっても、ピクセルが機能し続けることをこの抵抗器が可能にするからである。この場合、電流は、破壊された光源に関連付けられる行選択線を通過し、その後（アドレス指定されるとき）他の光源が光を放つことをもたらすため、抵抗器を介して他の光源に供給され続けるだろう。
【００２５】
明らかに、上記において「行」及び「列」が交換されても、上述したのと同じ効果が得られる。
【００２６】
更に、ピクセルグループコントローラは、第１及び第２の行選択線に対して交互に制御電圧を印加するよう構成されることができる。これにより、ピクセルに含まれる第１及び第２のサブピクセルが交互に選択される。
【００２７】
この態様で、ピクセルにより放出される光の強さは、上述の障害条件のいずれかが万が一発生したとしても、実質的に変更されないままとすることができる。言い換えると、本発明による表示デバイスは、実質的に任意の電気的又は機械的障害状態を受動的に修正することが可能である。
【００２８】
更に、ピクセルグループコントローラは、複数のピクセルドライバを有することができる。各ドライバは、ピクセルグループに含まれるピクセルのサブセットを駆動するよう構成される。
【００２９】
本発明による表示デバイスは、更に、有利なことに、織り合わせられた電気導電性及び非導電性糸から形成される繊維を有し、電気的接触が両者間で実現されるよう、上記バスラインの各々が、互いに交差する導電性縦糸及び横糸のマトリクスにより形成され、上記縦糸及び横糸が互いに電気的に絶縁されるよう、上記行及び列選択線がそれぞれ、互いに交差する導電性縦糸及び横糸により形成されることができる。
【００３０】
本発明の第２の側面によれば、上述及び他の目的は、カットトゥメジャー表示デバイスを制御する方法により実現される。このカットトゥメジャー表示デバイスは、複数のピクセルグループであって、それぞれが、複数の個別的に制御可能なピクセルと、上記ピクセルグループにおける上記ピクセルのそれぞれを制御するよう構成されるピクセルグループコントローラとを含む、複数のピクセルグループと、所定の画像データに対応する画像を表示するよう、上記ピクセルグループコントローラを介して、上記ピクセルを制御するよう構成される表示コントローラと、上記ピクセルグループコントローラの各々を上記表示コントローラと相互接続する複数のバスラインを有する通信バスとを持つ。この方法は、各ピクセルグループに対して、その関連付けられるピクセルグループコントローラがアドレス指定可能かどうかを決定するステップと、上記アドレス指定可能なピクセルグループコントローラの各々に対して、関連付けられるピクセルグループにおける機能的ピクセルを示す情報を取得するステップと、上記情報に基づき上記画像データを調整するステップと、上記画像を表示するため、上記アドレス指定可能なピクセルグループコントローラを介して、上記機能的ピクセルを制御するステップとを有する。
【００３１】
この本発明の第２の側面の効果及び特徴は、第１の実施形態に関連して上述された効果及び特徴に大部分類似する。
【図面の簡単な説明】
【００３２】
【図１】本発明によるカットトゥメジャー表示デバイスのカットされる前の状態の実施形態を概略的に示す図である。
【図２】ディスプレイのカットされた部分が残りの部分から分離された後の、つまりカット後に現れる図１におけるカットトゥメジャーディスプレイの部分を概略的に示す図である。
【図３】表示コントローラとピクセルグループコントローラとの間の堅牢な通信を可能にする、堅牢な通信バス構造を概略的に示す図である。
【図４】例示的なピクセル構成を概略的に示す回路図である。
【図５】例示的なピクセル行ドライバ構成を概略的に示す回路図である。
【図６】例示的なピクセルグループ構成を概略的に示すブロック図である。
【図７】本発明による方法の好ましい実施形態を概略的に示すフローチャートである。
【発明を実施するための形態】
【００３３】
本発明のこれらの及び他の態様が、本発明の現在における好ましい実施形態を示す添付図面を参照して、更に詳細に以下記載されることになる。
【００３４】
以下の説明において、本発明は、非常に制限された数のピクセルを持つ簡略化されたカットトゥメジャー表示デバイスを参照して記載される。更に、各ピクセルは、２つの発光ダイオード（ＬＥＤ）及び１つの抵抗器により構成される。
【００３５】
このことは、本発明の範囲を決して限定するものではなく、他のピクセルレイアウトと同様に他のピクセルグループ構成を持つカットトゥメジャー表示デバイスに対して同様に適用可能である点に留意されたい。特に、例えば蛍光ランプといった他のタイプの光源が使用されることができる。
【００３６】
図１は、本発明によるカットトゥメジャー表示デバイスのカットされる前の状態の実施形態を概略的に示す。図１では、表示デバイス１００が、複数のピクセル１０１を持つ大きな柔軟なシートとして示される（図面の明確さのため、これらのうちの１つだけが図示される）。このシートは、例えば、布において織り合わせられる導電性糸を介してピクセル１０１がアドレス指定可能な織布とすることができる。図１において、例示的なカットは破線により示される。このカットにより、カットされた表示デバイス１０２がシート１００の残りから切り離される。
【００３７】
図２には、カットされた表示デバイス１０２のクローズアップが概略的に示される。図２に示されるように、表示デバイス１０２は、１１の完全なピクセルグループ２００〜２１０と、表示デバイス１０２を切り離すとき通った１３のピクセルグループ２１１〜２２３とを有する。各ピクセルグループ２００〜２２３は、この例において、（図２において黒塗りの正方形により示される）１つのピクセルグループコントローラと、個別のピクセルグループコントローラによりそれぞれ制御される２０のピクセルとを持つ。
【００３８】
破線により示されるカットを通り、多数のピクセルグループコントローラ２３０（図面の明確さのため１つだけが示されている）が、表示コントローラ２３５から切り離される。なぜなら、これらのピクセルグループコントローラ２３０につながる（ここでは１つのマトリクスでだけ示される）バスライン２３６が切断されるからである。
【００３９】
この図に示される例において、各ピクセルグループは、１つのピクセルグループコントローラを持つ。このピクセルグループコントローラは、個別のピクセルグループにより占められる表面の左下隅に配置される。バスライン２３６のカットに対して表示デバイス１０２をさらに堅牢にするため、多数の修正が可能である。例えば、各ピクセルグループは、それらの個別のピクセルグループの異なるサイド上でバスライン２３６に接続される複数のピクセルグループコントローラを持つことができる。更に、ピクセルグループコントローラは、カットに従う表示デバイス１０２の基板に付けられることができる。その結果、カットされた表示デバイス１０２をシート１００の残りから分離するカットの後でも、できるだけ大多数のピクセルグループが機能的であるまま残るよう、ピクセルグループコントローラの最も好ましい位置が選択されることができる。
【００４０】
ここで図２に示される現在の実施例に戻ると、特定のピクセルグループコントローラが、完全なバスライン２３６を介して表示コントローラ２３５によりなおアドレス指定可能であることが、上で確立された。これらのピクセルグループコントローラ２４０のいくつかは（ここでもこれらのピクセルグループコントローラのうちの１つだけが参照符号により示される）、カットのとき通るピクセルグループ２２１に関連付けられる。図２に示されるように、これらのピクセルグループは、部分的に機能的であるまま残される。図２において、ピクセルグループコントローラを介して表示コントローラ２３５により制御可能であるピクセルは、白で示される。一方、カットの後、表示コントローラ２３５の制御から離れるものは、黒で示される。従って、カットされた表示デバイス１０２のアドレス指定可能な部分は、白いピクセルを持つ領域に対応する。
【００４１】
本発明によれば、各ピクセルグループコントローラ２４０は、その関連付けられるピクセルグループ２２１における機能的ピクセルの位置を決定し、バスライン２３６を介して表示コントローラ２３５にこれらの位置を通信するよう構成される。表示コントローラが、図２における白いピクセルにより示されるアドレス指定可能なディスプレイに対して画像データを適合させることを、このマッピング手順は可能にする。
【００４２】
図３は、表示コントローラとピクセルグループコントローラとの間の堅牢な通信を可能にする堅牢な通信バス構造３００を概略的に示す。
【００４３】
図３において、行３０２ａ〜ｆ及び列３０３ａ〜ｅにおける実線の格子線により示される第１の導電性グリッド３０１及び行３０５ａ〜ｆ及び列３０６ａ〜ｅにおける鎖点入りの格子線により示される第２の導電性グリッド３０４の形で、２つのバスライン（例えば例示的な簡単なシリアルバスにおけるデータ線及びクロック線）を持つ通信バス２３６が示される。通信バス２３６における異なるバスラインを表す、第１の導電性グリッド３０１及び第２の導電性グリッド３０４は、互いに電気的に切り離される。
【００４４】
この種のバス構成は、カットトゥメジャー表示デバイス１０２のために利用される基板に依存して、種々の態様で実現されることができる。剛性又は柔軟な回路基板の形で提供される基板に対して、第１の導電性グリッド３０１及び第２の導電性グリッド３０４は、異なる導体層に与えられることができる。ピクセルグループコントローラを通信バスに接続する接続点は、ビアとして実現されることができる。斯かる回路基板レイアウトは、当業者により容易に設計されることができる。しかしながら、以下、図３の堅牢な通信バス２３６構成が、表示デバイスが編まれた繊維に基づかれる場合に関して説明されることになる。
【００４５】
この場合、行３０２ａ〜ｆ及び３０５ａ〜ｆは、導電性横糸により形成され、列３０３ａ〜ｅ及び３０６ａ〜ｅは、導電性縦糸により形成される。織り合わせられた多層繊維のより低位層において形成される第２の導電性グリッド３０４から、導電性横糸におけるループが形成される。結果として、ピクセルグループを規定する各領域内の図示される接続点３０７がもたらされる（図を複雑にすることを回避するため、１つのループ接続点だけが、参照符号により示される）。これらの接続点３０７の１つと繊維の上部層において形成される第１の導電性グリッド３０１の対応する接続点３０８との間に、表示コントローラ２３５が接続される。他の接続点の各々の間に、ピクセルグループコントローラ３１０が接続される（再度、これらのうちの１つだけが参照符号により示される）。
【００４６】
この通信バス２３６構成の堅牢性を示すために、以下、ピクセルグループコントローラ３１０が第１及び第２の導電性グリッド３０１、３０４を介して表示コントローラ２３５に接続される一方、表示デバイスがカットトゥメジャーされることに対応する状況が示されることになる。
【００４７】
引き続き図３を参照すると、ピクセルグループコントローラ３１０の複数のサイドで、表示デバイス１０２において、カットがなされる。より詳細には、カット３１１ａ〜ｆは、それぞれ格子線３０２ｅ及び３０５ｅ、３０２ｄ及び３０５ｄ、３０３ｄ及び３０６ｄ、並びに３０３ｅ及び３０６ｅを通り、示された位置でなされる。図３に図示されるように、ピクセルグループコントローラ３１０は、図３における矢印及び文字ｉにより示される複数の残りの電流経路を用いて、表示コントローラ２３５によりまだアドレス指定可能である。
【００４８】
図２におけるカットトゥメジャーディスプレイ１０２のための例示的なピクセル構成を概略的に示す図４を参照すると、第１のサブピクセル４０１及び第２のサブピクセル４０２を含むピクセル４００が示される。サブピクセル４０１、４０２は、現在の例において、発光ダイオード（ＬＥＤ）の形で与えられる。
【００４９】
第１のＬＥＤ４０１は、第１の行選択線４０３及び２つの列選択経路４０４、４０５の間に接続され、第２のＬＥＤ４０２は、第２の行選択線４０６及び同じ２つの列選択線４０４、４０５の間に接続される。抵抗器４０７は、その行選択線サイド上の２つのＬＥＤ４０１、４０２の間に接続される。
【００５０】
このピクセル構造体により、電気的及び機械的冗長性の両方が得られる。電気的に、サブピクセル、即ちＬＥＤ４０１の１つが故障することになっても、他のサブピクセル４０２はアクセス可能だろう。更に、この構造は、高次の機械的冗長性を持つ。繊維に基づかれ、ピクセル４００を含むカットトゥメジャーディスプレイ１０２の場合、ピクセル４００内で起こる可能性がある機械的故障点が３つある。１つ目は、バスラインに対する接続での故障である。２つ目は、バスライン障害である。３つ目は、電気的故障を伴う複数の接続／バス障害である。このデザインは、これらの故障モードの全てに対する冗長性を与える。ピクセル当たり１つのＬＥＤを使う代わりに２つのＬＥＤを使うことにより、バスに対する１つのダイオードでの接続障害は、ピクセルの損失を生じさせることにはならない。２つのバスラインを使用することで、１つのバスラインの障害は、ピクセルの障害を生じさせることにはならない。最終的に、２つのＬＥＤの間に抵抗器を接続することにより、１つのＬＥＤがその機能を失い、もう一方がその接続を失うか又はそのバスラインを失う場合でも、このＬＥＤは、抵抗器を通り駆動電流を適用する（他のバスラインに対して駆動電流を適用する）ことを介して、なおオンの状態を保つことができる。
【００５１】
図４におけるピクセル４００に対する適切な駆動スキームが、単一の行ドライバを含む簡略化された例示的なピクセルグループコントローラを概略的に示す図５を参照して、以下記載されることになる。
【００５２】
図５では、簡略化されたピクセルグループコントローラ５００が示される。このコントローラは、単一のピクセル（１つの行及び１つの列）を制御するよう構成される。明らかに、ピクセルグループコントローラは通常、かなりより大きな数のピクセルを制御するよう構成される。
【００５３】
図５におけるピクセルグループコントローラ５００は、マイクロプロセッサ５０１と、電流源５０３及び行スイッチ５０４を含む行ドライバ５０２とを有する。マイクロプロセッサは、電流源５０３及び行スイッチ５０４を制御するよう構成される。例示的なピクセルグループコントローラ５００により制御されるピクセル（図示省略）がアドレス指定されるとき、行スイッチ５０４の入力に電流を供給するため、マイクロプロセッサ５０１は電流源５０３を制御する。行スイッチ５０４は、第１の行選択線４０３（図４を参照）と第２の行選択線４０６（図４を参照）との間を切り替える。この態様で、図４を参照すると、ピクセルにおける各ＬＥＤ  ４０１、４０２は、５０％の時間オンにされるだろう。ＬＥＤ  ４０１の１つが壊れる場合、他のＬＥＤ  ４０２は、第１のサイクルの間は第１の行選択線４０３を介して抵抗器４０７を通り駆動され、及び第２のサイクルの間は第２の行選択線４０６を介して直接駆動されることになる。
【００５４】
図６では、図５に示される単一のピクセルコントローラ５００と同じ基本的構成を持つピクセルグループコントローラ６００が、より現実的な構成で示される。図６では、図４に示される種類の３ｘ３ピクセル６０１ａ〜ｉのグループを制御することが示される。
【００５５】
図６におけるピクセルグループコントローラ６００は、３つの行ドライバ６０３〜６０５を制御するために接続及び適合されるマイクロプロセッサ６０２を有する。例えば中央ピクセル６０１ｅといった特定のピクセルを選択するとき、マイクロプロセッサ６０２は中央行ドライバ６０４を起動させる。これにより、中央行ドライバ６０４に関連付けられる第１及び第２の行選択線６０６、６０７それぞれに、電流が交互に流れることが可能にされる。更に、中央ピクセル６０１ｅは、その関連付けられる列選択線６０８、６０９を電流シンクに接続することによってもアドレス指定される。これにより、アドレス指定されたピクセル６０１ｅに含まれる２つのＬＥＤ（図示省略）を通り電流が交互に流れることがもたらされる。
【００５６】
カットトゥメジャー表示デバイス１０２を制御するための本発明による方法が、図７における概略的なフローチャート、及び図２におけるカットトゥメジャー表示デバイス１０２の概略図を参照して以下説明されることになる。
【００５７】
第１のステップ７０１において、表示コントローラ２３５は、どのピクセルグループコントローラ２４０が通信バス２３６を通りアクセス可能かを決定する。
【００５８】
その後、ステップ７０２において、アクセス可能なピクセルグループコントローラ２４０に関連付けられるピクセルグループ２２１における機能的ピクセル（図２において白とマークされる）に関する位置が、各アクセス可能なピクセルグループコントローラから取得される。全体のディスプレイ１０２に関するこのマッピングを行うため、表示コントローラ２３５は、続いて、その関連付けられるピクセルグループにおいてマッピングシーケンスを実行するよう各ピクセルグループコントローラに指示する。そのピクセルグループ内でどのピクセルが機能的であるか、及びこれらのピクセルの位置を決定した後、ピクセルグループコントローラは、この情報、ピクセルグループに関するピクセルマップを表示コントローラ２３５に対して通信バス２３６を介して通信する。
【００５９】
アクセス可能なそれぞれのピクセルグループコントローラ２４０（ピクセルグループ２２１）に関する斯かるピクセルグループマップが、表示コントローラ２３５により取得されたとき、表示コントローラ２３５は、ステップ７０３において、表示デバイス１０２により表示される画像を示す画像データを決定されたピクセルマップに関して適合させる。
【００６０】
最終的に、ステップ７０４において、表示コントローラ２３５は、ステップ７０３において適合される画像データを用いて、所望の画像を表示するため機能的ピクセルを制御する。
【００６１】
当業者であれば、決して本発明が上述された好ましい実施形態に限定されるものではない点を理解されたい。例えば、ピクセルは２つ以上の発光デバイスを含むことができる。特にピクセルは、例えば、異なる態様のカラーの発光デバイスの２つのグループを有することができる。
【図１】
2010522895.tif 000003
【図２】
2010522895.tif 000004
【図３】
2010522895.tif 000005
【図４】
2010522895.tif 000006
【図５】
2010522895.tif 000007
【図６】
2010522895.tif 000008
【図７】
2010522895.tif 000009
【国際調査報告】
2010522895.tif 000010
2010522895.tif 000011
2010522895.tif 000012